(57)【要約】【課題】配管１と配管１の連結部に溶接による接続の無いシンプルな構造にすることによりコストダウンを計ると共に強度的に十分な構造となる配管支持装置を提供すること。【解決手段】鉛直方向に複数段配置され、水平方向に長手方向が向けられた配管１の外形に合わせて、該配管１を支持するくぼみ６ａを配管１の個数分だけ鉛直方向に設け、吊下げ部材２，３の下端部に連結する連結部６ｂを備えた鋼板６と、前記鋼板６のくぼみ６ａに配置された配管１を該鋼板６と共に挟み込んで配管１を支持するくぼみ５ａを鉛直方向に鋼板６のくぼみ６ａと同数だけ設け、同時に鋼板６に連結する連結部５ｃ，５ｄを設けた鋼板５とからなる配管支持装置である。【選択図】図１
2006161996.tif 000002
【特許請求の範囲】
【請求項１】
鉛直方向に複数段配置され、水平方向に長手方向が向けられた配管を支持する配管支持装置であって、
配管の外形に合わせて、該配管を支持するくぼみを配管の個数分だけ鉛直方向に設け、吊下げ部材の下端部に連結する連結部を備えた第１の部材と、
前記第１の部材のくぼみに配置された配管を第１の部材と共に挟み込んで配管を支持するくぼみを鉛直方向に第１の部材のくぼみと同数だけ設け、同時に前記第１の部材に連結する連結部を設けた第２の部材とからなることを特徴とする配管支持装置。
【請求項２】
鉛直方向に複数段配置され、水平方向に長手方向が向けられた配管を支持する配管支持装置であって、
配管の外形に合わせて、該配管を支持するくぼみを水平方向に２列配置された配管の個数分だけ鉛直方向に設け、吊下げ部材の下端部に連結する連結部を備えた第１の部材と、
前記第１の部材のくぼみに配置された配管を第１の部材と共に挟み込んで配管を支持するくぼみを鉛直方向に第１の部材のくぼみと同数だけ設け、同時に前記第１の部材に連結する連結部を設けた一対の第２の部材とからなることを特徴とする配管支持装置。
【発明の詳細な説明】
【技術分野】
【０００１】
本発明は発電プラントや化学プラント等の配管支持装置に関わり、特に鉄骨等の梁下に水平方向に伸びて上下に複数段吊下げ配置される配管を支持するのに好適な配管支持装置に関するものである。
【背景技術】
【０００２】
従来の管系支持装置としては、例えば図５〜図８に示されるようなものがある。 
すなわち、従来の管系支持装置の構成は、図５の水平方向に配置される配管を縦方向に切断した状態で示す側面図と図５を矢印Ａ方向から見た図である図６に示すように、２本の鉄骨２１，２１の梁上部の間に中心部に貫通穴を有する鋼板２２を掛け渡し、前記鋼板２２の貫通穴に吊りボルト２の上部側を通し、該吊りボルト２の上端のネジ部にナット２３を取付けて接続し、吊りボルト２の下端部ネジ部分に円柱形の部品３を取り付ける。
【０００３】
該円柱形の部品３には、その上部側に吊りボルト２の下端部ネジ部分と噛合するネジ穴を設け、下端面にはスリットと該スリットに貫通穴を設けて、円柱形の部品３の下端面のスリットに貫通穴を設けた連結プレート１４を挿入し、円柱形の部品３の貫通穴とプレート１４の貫通穴を合わせピン７を通して接続する。また円柱形の部品３に接続された連結プレート１４の下方に上下に所定の間隔にて複数段配置された配管１・・・の各配管１，１の間に平型鋼板１６を配置し、複数の上下方向に並んだ配管１・・・の水平方向両側に平型鋼板１５を配置し、連結プレート１４と平型鋼板１５との接続部及び平型鋼板１５と平型鋼板１６の交差部を隅肉溶接部ｗにて連結する構造となっていた。
【０００４】
また、図７の水平方向に配置される配管を縦方向に切断した状態で示す側面図と図７を矢印Ａ方向から見た図である図８に示すように、水平方向に並列配置され、上下方向に複数段配置された配管１・・・の場合は、水平方向に並列配置された配管１ａと１ｂの間に平型鋼板１７を追加する構造となっている。 図７に示すように、並列配置された配管１ａと配管１ｂの外径寸法が互いに異なる場合には平型鋼板１３を外径の小さな配管１ｂの下部に配置して平板鋼板１６に隅肉溶接ｗにて取り付け外径差を調整する。また、連結プレート１４と平型鋼板１５，１７との接続部にも隅肉溶接部ｗを設ける。
【０００５】
また、図９に示すように鉛直方向に配置した配管支持管１９に水平方向に配管１を配置できる支持金具２０を上下方向に複数段設けた配管支持装置などが知られている（特開２０００−２４９４９０号公報、特開２０００−６５３０９号公報、特開２００４−６０９８３号公報）。
【特許文献１】特開２０００−２４９４９０号公報
【特許文献２】特開２０００−６５３０９号公報
【特許文献３】特開２００４−６０９８３号公報
【特許文献４】特開平６−１７９７２号公報
【発明の開示】
【発明が解決しようとする課題】
【０００６】
しかしながら、上記図５〜図８に示す従来技術では上下左右に配置された配管１・・・の間に配置された平型鋼板１６を溶接にて接続するため作業性が悪く配管１に損傷を与える危険性がある。又、配管１と配管１との中心距離が各支持部にて異なる場合又は配管１の外形（外径の大きさを含めた配管の外周部の形状をいうこととする）が異なる場合があるため、これらに合わせてさまざまな幅と長さの平型鋼板１３，１６を製作しなくてはならず、構成部品数が多く、製作コストが多く掛かっている。
【０００７】
また、図９に示す配管支持装置は部品点数は比較的少なく、据え付けが比較的簡単であるが鉛直方向に比較的長い配管支持管１９と支持金具２０の両方を配置する必要があり、多数の配管が密集して配置されているボイラなどのプラントでは、据付け性に改善の余地があった。
【０００８】
そこで本発明は、配管と配管の連結部に溶接による接続の無いシンプルな構造にすることによりコストダウンを計ると共に強度的に十分な構造となる配管支持装置を提供することを課題としている。
【課題を解決するための手段】
【０００９】
上記課題を解決するために、本発明は次の解決手段を採用した。  
請求項１記載の発明は、鉛直方向に複数段配置され、水平方向に長手方向が向けられた配管１・・・を支持する配管支持装置であって、配管１の外形に合わせて、該配管１を支持するくぼみ６ａを配管１の個数分だけ鉛直方向に設け、吊下げ部材２，３の下端部に連結する連結部６ｂを備えた第１の部材６と、前記第１の部材６のくぼみ６ａに配置された配管１を第１の部材６と共に挟み込んで配管１を支持するくぼみ５ａを鉛直方向に第１の部材６のくぼみ６ａと同数だけ設け、同時に前記第１の部材６に連結する連結部５ｃ、５ｄを設けた第２の部材５とからなる配管支持装置である。
【００１０】
請求項２記載の発明は、鉛直方向に複数段配置され、水平方向に長手方向が向けられた配管１・・・を支持する配管支持装置であって、配管１の外形に合わせて、該配管１を支持するくぼみ１０ａを水平方向に２列配置された配管１・・・の個数分だけ鉛直方向に設け、吊下げ部材２，３の下端部に連結する連結部１０ｂを備えた第１の部材１０と、前記第１の部材１０のくぼみ１０ａに配置された配管１を第１の部材１０と共に挟み込んで配管１を支持するくぼみ１１ａ，１２ａを鉛直方向に第１の部材１０のくぼみ１０ａと同数だけ設け、同時に前記第１の部材１０に連結する連結部１１ｃ、１１ｄ、１２ｃ、１２ｄを設けた一対の第２の部材１１，１２とからなる配管支持装置である。
【００１１】
（作用）
請求項１、２記載の発明によれば、配管１の外形に合わせたくぼみ５ａ，６ａ，１０ａ，１１ａ，１２ａを有する部材５，６，１０，１１，１２により鉛直方向に複数段配置される配管１・・・を吊下げることができ、溶接作業を要さない構造にすることができる。
【００１２】
また、くぼみ５ａ，６ａ，１０ａ，１１ａ，１２ａの形状あるいは部材５，６，１０，１１，１２のくぼみの形を変更することにより複数の外径サイズを有する配管１・・・を容易に支持できる。  
さらに請求項２記載の発明によれば、水平方向に並列配置された複数の配管１・・・を支持することができる。
【発明の効果】
【００１３】
請求項１、２記載の発明によれば、溶接作業を要さず製品の信頼性が向上すると共に配管１の据え付け作業時間低減によりコストダウン化が図れる。  
くぼみ５ａ，６ａ，１０ａ，１１ａ，１２ａを有する部材５，６，１０，１１，１２を斜めに加工したことにより水平配管１をプラントの据付け現地において、据え付ける際に仮設定が容易にできるようになる。前記波型のくぼみ５ａ，６ａ，１０ａ，１１ａ，１２ａを有する部材５，６，１０，１１，１２は配管の脱落防止と荷重支持を図ることができる。
【発明を実施するための最良の形態】
【００１４】
本発明の実施例を図面と共に説明する。  
第１の実施例の構成を図１と図２に示す。図１は、水平方向に配置される配管を縦方向に切断した状態で示す示す配管支持装置の側面図であり、図２は図１の矢印Ａ方向から見た図である。
【００１５】
水平方向に長手方向を向けて上下方向に複数段配置された配管１・・・の外形に合わせて、該配管１・・・を支持できるくぼみ５ａを配管１の個数分だけ設けた鋼板５と、前記鋼板５の長手方向を鉛直方向に配置したときの仮想軸線に対して鋼板５のくぼみ５ａと左右対称形の、配管１を支持できるくぼみ６ａを設けた鋼板６を設ける。また鋼板６の上端部には吊りボルト２に連結される円柱形部品３と連結するための貫通穴６ｂを設けている。また鋼板６の上端部と下端部には鋼板５と連結するための貫通穴６ｃ，６ｄをそれぞれ設けている。また鋼板５にも鋼板６の貫通穴６ｃ，６ｄに対応する位置に貫通穴５ｃ，５ｄを設けている。
【００１６】
円柱形部品３の上部と下部には図５〜図８に示した円柱形部品３と同様にそれぞれネジ穴と下スリットを設けているので、円柱形部品３と吊りボルト２を噛合させて連結する。
【００１７】
次いで水平方向に長手方向を向けて上下方向に複数段配置された配管１・・・の斜め下方向より上向きに鋼板６のくぼみ６ａに配管１がそれぞれ載置されるように挿入する。また円柱形部品３の下端面に設けたスリットに鋼板６の頂部を差し込み、円柱形部品３のネジ穴に挿入したピン７により鋼板６を吊りボルト２に円柱形部品３を介して吊り下げる。
【００１８】
その後、鋼板５を配管１の斜め下方向より上向きに鋼板５のくぼみ５ａに配管１がそれぞれ載置されるように挿入する。鋼板５と鋼板６で配管１を挟み込み、鋼板６の上端部と下端部に設けられた貫通穴６ｃ、６ｄと鋼板５の貫通穴５ｃ，５ｄの位置を一致させてボルト８を通し、ナット９を締め込み、鋼板５，６を密着させて連結すると水平方向に並列配置された複数の配管１をボイラ内に吊り下げることができる。
【００１９】
本発明の第２の実施例を図３と図４により説明する。図３は、水平方向に配置される配管を縦方向に切断した状態で示す配管支持装置の側面図であり、図４は図３の矢印Ａ方向から見た図である。
【００２０】
図３の配管支持装置は、水平方向に長手方向を向けて上下方向に複数段配置され、また同一水平位置またはほぼ同一水平位置に並列状に２列配置された配管１・・・の外形に合わせて、上下方向に複数段、配管１の外形と同じ形状のくぼみ１０ａ，１０ａを両側に設けた鋼板１０を設けている。該鋼板１０には前記図１、図２で説明した円柱形部品３との連結用の貫通穴１０ｂを設け、またその貫通穴１０ｂの下側には２つの鋼板１１，１２の上端部と連結するための貫通穴１０ｃ，１０ｃを設け、更に下端部にも２つの鋼板１１，１２と連結するための貫通穴１０ｄ，１０ｄをそれぞれ設けている。
【００２１】
この場合は水平方向に長手方向を向けて上下方向に複数段配置された２列の配管１，１の間に鋼板１０を上下方向に差し込んで、配管１を鋼板１０のくぼみ１０ａにはめ込み、円柱形部品３の下部に設けたスリットに鋼板１０の頂部を差し込み、貫通穴１０ｂに挿入したピン７で鋼板１０を吊りボルト２に円柱形部品３を介して吊り下げる。
【００２２】
その後、並列状に２列配置された中の一方の列の配管１・・・の外形と同じ形状のくぼみ１１ａを片側に設けた鋼板１１をその列の配管１・・・がくぼみ１１ａに載置されるように斜め下方向より上向きに挿入する。また他方の列の配管１には同様に当該他方の列の配管１・・・の外形に合わせたくぼみ１２ａを持つ鋼板１２をくぼみ１２ａに配管１・・・が載置されるように挿入し、鋼板１０の両側のくぼみ１０ａに載置された配管１・・・を鋼板１１と鋼板１２で両側から挟み込む。
【００２３】
鋼板１１，１２の上端部に設けられた貫通穴１１ｃ，１２ｃと鋼板１０の貫通穴１０ｃ，１０ｃ及び鋼板１１，１２の下端部に設けられた貫通穴１１ｄ，１２ｄと鋼板１０の貫通穴１０ｄ，１０ｄの位置をそれぞれ一致させてボルト８を通し、ナット９で締め込み、鋼板１０，１１，１２を密着させて連結すると、水平方向に並列配置された複数の配管１をボイラ内に吊り下げることができる。
【００２４】
本実施例では部材５，６，１０〜１２は鋼板製であるが、用途に応じて他の材質の部材を用いることもできる。
【産業上の利用可能性】
【００２５】
本発明は発電プラントや化学プラント等の配管支持装置に利用可能性のある簡易な構成からなる配管支持装置である。
【図面の簡単な説明】
【００２６】
【図１】本発明の水平配管支持装置を示し、水平方向に配置される配管を縦方向に切断した状態で示す側面図である。
【図２】図１の矢印Ａ方向から見た図である。
【図３】本発明の水平配管支持装置を示し、水平方向に配置される配管を縦方向に切断した状態で示す側面図である。
【図４】図３の矢印Ａ方向から見た図である。
【図５】従来の水平配管支持装置を示し、水平方向に配置される配管を縦方向に切断した状態で示す側面図である。
【図６】図５の矢印Ａ方向から見た図である。
【図７】従来の水平配管支持装置を示し、水平方向に配置される配管を縦方向に切断した状態で示す側面図である。
【図８】図７の矢印Ａ方向から見た図である。
【図９】従来の水平配管支持装置を示し、水平方向に配置される配管を縦方向に切断した状態で示す側面図である。
【符号の説明】
【００２７】
１  水平配管                  ２  吊りボルト
３  円柱形部品                ５，６  鋼板
５ａ，６ａ  くぼみ            ５ｃ、５ｄ  貫通穴
６ｂ，６ｃ、６ｄ  貫通穴      ７  ピン
８  ボルト                    ９  ナット
１０，１１，１２  鋼板        １３  平型鋼板
１４  連結プレート            １５，１６，１７  平型鋼板
１９  配管支持管              ２０  支持金具
２１  鉄骨                    ２２  鋼板
２３  ナット                  ｗ  隅肉溶接部
【図１】
2006161996.tif 000003
【図２】
2006161996.tif 000004
【図３】
2006161996.tif 000005
【図４】
2006161996.tif 000006
【図５】
2006161996.tif 000007
【図６】
2006161996.tif 000008
【図７】
2006161996.tif 000009
【図８】
2006161996.tif 000010
【図９】
2006161996.tif 000011